(57)【特許請求の範囲】
【請求項１】
走行機体の後部に装着され、該走行機体から動力を受け、元畦及び圃場を耕耘して畦状に盛り上げる前処理体、及びこの前処理体により耕耘された土壌を畦に成形する整畦体を備え、該前処理体に土飛散防止のためのサイドカバーを設けた畦塗り機において、上記サイドカバーを上下一対の平行リンクにより上下動自在に支持し、該サイドカバーの下げ位置を規制するストッパを設け、上記サイドカバーを下げ位置より上方には自由に回動できるようにし、
上記ストッパはピンの差し込みにより上下移動可能に支持されていることを特徴とする畦塗り機。
【請求項２】
上記ストッパは上記サイドカバーに支持されていることを特徴とする請求項１に記載の畦塗り機。
【請求項３】
上端部に上記ストッパが設けられたストッパ支持杆が上記サイドカバーに上下移動可能に支持されていることを特徴とする請求項１、もしくは請求項２に記載の畦塗り機。
【発明の詳細な説明】
【技術分野】
【０００１】
本発明は、走行機体の後部に装着され、該走行機体から動力を受けて駆動する整畦体及び前処理体を備えた畦塗り機に関し、特に前処理体のサイドカバーの改良に関する。
【背景技術】
【０００２】
従来、走行機体の後部に装着され、該走行機体から動力を受け、元畦及び圃場を耕耘して畦状に盛り上げる前処理体、及びこの前処理体により耕耘された土壌を畦に成形する整畦体を備え、該前処理体に、耕耘した土壌を飛散させずに畦整形部へ案内するサイドカバーを設けた畦塗り機が知られている。
【０００３】
上記前処理体のサイドカバーの機能を向上させるために本出願人は、サイドカバーを平行リンクにより上下動自在に支持して、該サイドカバーの高さ調整が自動的に行われるようにした畦塗り機を提案している（特許文献１参照）。
【先行技術文献】
【特許文献】
【０００４】
【特許文献１】特開平１１−０４６５０８号公報
【発明の概要】
【発明が解決しようとする課題】
【０００５】
上記先行技術の畦塗り機においては、サイドカバーが平行リンクにより自由に上下動して、その下げ位置が規制されていないので、形成される畦の高さが高い場合には、サイドカバーが畦の上部に引っかかり、元畦を壊してしまう、という問題点があった。本発明は、上記の問題点を解決することを目的になされたものである。
【課題を解決するための手段】
【０００６】
上記の目的を達成するために本発明は、以下の構成を特徴としている。
Ａ．走行機体の後部に装着され、該走行機体から動力を受け、元畦及び圃場を耕耘して畦状に盛り上げる前処理体、及びこの前処理体により耕耘された土壌を畦に成形する整畦体を備え、該前処理体に土飛散防止のためのサイドカバーを設けた畦塗り機において、上記サイドカバーを上下一対の平行リンクにより上下動自在に支持し、該サイドカバーの下げ位置を規制するストッパを設け、上記サイドカバーを下げ位置より上方には自由に回動できるようにし、
上記ストッパをピンの差し込みにより上下移動可能に支持する。
【０００７】
Ｂ．上記ストッパによる平行リンクの回動規制を、有段または無段階に調節可能とした。
Ｃ．上記サイドカバーの下げ位置の規制を、平行リンクにストッパを当接させて行う。
【０００８】
Ｄ．上記ストッパは、上下方向に移動してサイドカバーの下げ位置を調節する。
Ｅ．上記ストッパは、一軸を支点にして回動して他方に設けたストッパ部材を平行リンクに当接させて回動を規制する。
Ｆ．上記ストッパと平行リンクとの当接位置にクッション材を設けた。
【０００９】
上記Ａ．〜Ｆ．の構成により本発明の畦塗り機は、以下の作用を行う。
１）．サイドカバーは平行リンクにより上下動が自在であり、サイドカバーの下げ位置がストッパにより規制され、その規制された下げ位置より上方には自由に上下動することで、サイドカバーが畦の上部に引っかかり、元畦を壊してしまうような事態は発生しない。
【００１０】
２）．ストッパによる平行リンクの回動規制か有段または無段階に調節可能で、また、サイドカバーの下げ位置の規制は、平行リンクにストッパを当接させて行われるので、サイドカバーの下げ位置の規制がキメ細かく行われ、畦の起伏や石等の障害物に対して無理なく対応できる。
【００１１】
３）．ストッパは上下方向に移動してサイドカバーの下げ位置を調節し、一軸を支点にして回動して他方に設けたストッパ部材を平行リンクに当接させて回動を規制し、ストッパと平行リンクとの当接位置にクッション材が設けられていることで、ストッパの上下移動でサイドカバーの下げ位置の規制が任意に、かつ確実に行われ、ストッパと平行リンクの当接部分をクッション材により傷めない。
【発明の効果】
【００１２】
以上説明したように本発明の畦塗り機によれば、上記の構成により以下の作用効果を奏することができる。
【００１３】
１）．サイドカバーを上下一対の平行リンクにより上下動自在に支持し、該サイドカバーの下げ位置を規制するストッパを設け、下げ位置より上方には自由に回動できるようにしたので、サイドカバーが畦の上部に引っかかり、元畦を壊してしまうような事態を発生させるようなことはない。また、サイドカバーは下げ位置上方に自由に移動して耕耘された土壌を適正に案内し適正な畦を形成することができる。
【００１４】
２）．ストッパによる平行リンクの回動規制を、有段または無段階に調節可能としたので、サイドカバーの下げ位置の規制をキメ細かく行うことができ、畦の起伏や石等の障害物に対して無理なく対応することができる。
３）．サイドカバーの下げ位置の規制を、平行リンクにストッパを当接させて行うので、サイドカバーの下げ位置を確実に規制することができる。
【００１５】
４）．ストッパは、上下方向に移動してサイドカバーの下げ位置を調節するので、ストッパの上下移動によりサイドカバーの下げ位置の規制を任意に、かつ確実に行うことができる。
５）．ストッパは、一軸を支点にして回動して他方に設けたストッパ部材を平行リンクに当接させて回動を規制するので、ストッパの操作が簡単で、また、構成を簡略化することができる。
６）．ストッパと平行リンクとの当接位置にクッション材を設けたので、ストッパと当接する平行リンクの当接部分を傷めないようにすることができる。
【図面の簡単な説明】
【００１６】
【図１】本発明による畦塗り機の全体平面図である。
【図２】同背面図である。
【図３】同伝動系を示す平面図である。
【図４】畦塗り機を作業位置に回動させた傾斜軸を中心とする部分平面図である。
【図５】畦塗り機を非作業位置に回動させた傾斜軸を中心とする部分平面図である。
【図６】畦塗り機を非作業位置に回動させ、移動車輪付きスタンドを装着した状態の全体背面図である。
【図７】本発明によるサイドカバーの第１実施例の側面図である。
【図８】本発明によるサイドカバーの第２実施例の側面図である。
【図９】同動作を示す側面図である。
【図１０】同ストッパ移動機構の側面図である。
【図１１】同ストッパが効いていない状態の側面図である。
【発明を実施するための形態】
【００１７】
以下、本発明の実施の形態を添付の図面を参照して具体的に説明する。図１〜図３において、符号１は連結フレーム２の前部に設けたロアリンク連結部３，３及びトップマスト４を、図示省略したトラクタの後部に設けられた左右一対のロアリンク及びトップリンクに連結して昇降可能であり、圃場に導入されて整畦作業を行う畦塗り機である。また、連結フレーム２の前部には、図示しないトラクタのＰＴＯ軸からユニバーサルジョイント、伝動軸を介して動力が伝達される入力軸５が突設され、この入力軸５は後方に向け延び、入力軸ケース５ａに収容されている。
畦塗り機１は、主フレームを兼ね、前処理体６及び整畦体７に動力を伝達するチェンケース８とを一体構造として左右方向に配設している。該チェンケース８は鍵型をしており、その先端部が連結フレーム２に対し左下がりに傾斜した傾斜軸９により傾斜回動（昇降）可能に軸支されている。そして、前処理体６及び整畦体７を、作業位置と非作業位置とに移動させるようにしている。
【００１８】
上記入力軸ケース５ａに対応する出力軸ケース１０が、入力軸ケース５ａから右下がり斜め下方に設けられ、この出力軸ケース１０に出力軸１１が軸支され、該出力軸１１にチェン伝動系１２を介して入力軸５から動力が伝達される。出力軸ケース１０の後端は開放されており、この出力軸ケース１０の後端側と対向してチェンケース８から、先端を開放した入力部ケース１３が突設されている。この入力部ケース１３からチェンケース８内にかけて入力軸１４が軸支され、この入力軸１４の先端と前記出力軸１１の後端との間に接合、接合解除可能のクラッチ１５が設けられている。
このクラッチ１５は、チェンケース８を前処理体６及び整畦体７と共に傾斜軸９を中心に回動して前処理体６及び整畦体７を作業位置にしたとき接合し、前処理体６及び整畦体７を非作業位置にしたときは、入力部ケース１３が出力軸ケース１０から離間して、接合が解除される。出力軸１１の前部にはクラッチ１５を接合方向に押圧するクラッチ押圧バネ１６が介装されている。
【００１９】
チェンケース８内の入力軸１４とチェンケース８の終端部に軸支された出力軸１８との間は、スプロケット１７とスプロケット１９に巻回されたチェンにより入力軸１４から出力軸１８に動力が伝達される。出力軸１８から前処理体６の回転軸２０に動力が直接伝達されるが、整畦体７には出力スプライン２１、デフケース２２から前方に向け突出した入力スプライン２３間をユニバーサルジョイント２４により連結して整畦体７を駆動するようにしている。
前処理体６は、回転軸２０の軸周に複数本の耕耘爪２５を放射方向に装着すると共に、耕耘された土壌を飛散させずに畦整形部へ案内するサイドカバー２６を設け、前処理体６の上方及び側方をカバー２７により覆い、元畦の一部及び圃場を耕耘して畦状に盛り上げるロータリ耕耘装置からなるものである。また、前処理体６には、その上下高さを所定範囲で調節する前処理体上下調節装置２８が設けられている。
【００２０】
また、整畦体７は、伝動ケース２９に覆われたデフケース２２から動力を受けて多角の整畦面が偏心しながら回転して畦法面を叩いて畦に成形する多面体ドラム３０を取付け、この多面体ドラム３０のドラム中心の基部に畦の頂部を平らに形成する水平円筒部３１を一体的に形成してカバー３２により覆っている。この水平円筒部３１には、外側に向け延長部が取付け可能である。また、多面体ドラム３０の先端部は、チェンケース８の前側部に来るように配設されている。この整畦体７にも、その上下高さを所定範囲で調節する整畦体上下調節装置３３が設けられている。
【００２１】
上記連結フレーム２と伝動ケース２９間には、チェンケース８を前処理体６及び整畦体７と共に傾斜軸９を中心に回動して、前処理体６及び整畦体７を作業位置と非作業位置に移動させた状態に固定するための作業部固定シリンダ装置３４を設けている。この作業部固定シリンダ装置３４は、図４に詳細に示すように、シリンダ部の基端部を連結フレーム２側に枢着し、ピストン部３４ａの先端部を伝動ケース２９に枢着して、シリンダ部に対してピストン部３４ａが摺動可能である。
そして、人力により前処理体６及び整畦体７をチェンケース８により傾斜軸９を中心に回動して作業位置または非作業位置にしたとき、それぞれの位置でピストン部３４ａが摺動してシリンダ部に設けた固定装置３５により固定するようにしている。固定装置３５は、作業部固定シリンダ装置３４のシリンダ部及びピストン部３４ａに設けたピン孔に、シリンダ部に取付けられてピングリップ３５ａにより挿脱可能で、バネ３５ｃにより常時は挿入方向に付勢されているピン３５ｂを挿通している。
【００２２】
上記作業部固定シリンダ装置３４に近接して、シリンダ部の基端部を連結フレーム２側に枢着し、ピストン部の先端部を伝動ケース２９に枢着したガススプリング３６を介装している。このガススプリング３６は、チェンケース８を介して前処理体６、整畦体７を作業位置から非作業位置に移動させるときに、前処理体６、整畦体７を軽く揚上させるように弾発する。逆に前処理体６、整畦体７を非作業位置から作業位置に移動させるときは、前処理体６、整畦体７が自重により急激に回動、降下しないように弾持する。
【００２３】
連結フレーム２の前処理体６及び整畦体７と反対側位置に接地輪（コールタ）３７を設けている。この接地輪３７は、接地輪上下調節機構３７ａにより上下移動調節が可能に支持されている。また、連結フレーム２の両側端部には、スタンドホルダ３８が設けられ、このスタンドホルダ３８に、図６及び図７にも示す車輪付きスタンド３９が着脱可能に設けられている。多面体ドラム３０のカバー３２には作業部回動用握り４０が設けられている。
【００２４】
前処理体のサイドカバー２６は、図７ないし図１１に詳細に示すように、カバー２７との間において、上下一対の平行リンク４１により上下動自在に支持されている。サイドカバー２６には、ストッパ支持部材４３を介してストッパ支持杆４２がピンの差し込みにより有段に（図７）、または蝶ねじ４２ｂにより無段階（図８〜図１０）に上下移動可能に支持され、ストッパ支持部材４３の上端部には、図１０に示すように、平行リンク４１側に張り出して平行リンク４１が上動したとき当接し、サイドカバー２６の下げ位置を規制するストッパ４２ａを設けている。従って、サイドカバー２６は下げ位置より上方には自由に回動できる。
また、ストッパ４２ａは、ストッパ支持杆４２を上下移動させることによりサイドカバー２６の下げ位置を調節する。さらに、ストッパ４２ａはゴムのようなクッション材により形成され、平行リンク４１に当接した際に傷つけないようにしている。
【００２５】
このような構成の畦塗り機１においては、図示しないトラクタの後部に３点リンクのロアリンクがロアリンク連結部３に、トップリンクがトップマストにそれぞれ連結され、トラクタのＰＴＯ軸からユニバーサルジョイント，伝動軸、ユニバーサルジョイントを介して入力軸５に動力が伝達される。畦塗り機１が整畦作業を行うときは、前処理体６及び整畦体７を、チェンケース８により傾斜軸９を中心に回動して図１〜図４、図８の状態にする。このとき、チェンケース８においては、図３に示されるように入力部ケース１３の先端部が出力軸ケース１０の後端部と対向して嵌合しクラッチ１５は接続状態になっている。
また、作業部固定シリンダ装置３４は、固定装置３５のピン３５ｂにより固定されている。この状態で入力軸５に受けた動力は、チェン伝動系１２−出力軸１１−クラッチ１５−入力軸１４−スプロケット１７，１９−出力軸１８の経路で前処理体６に伝達され、また、出力軸１８−ユニバーサルジョイント２４−デフケース２２を経て整畦体７に伝達される。そして、トラクタ２の走行と共に整畦作業が行われる。
【００２６】
前処理体６の耕耘爪２５とサイドカバー２６の作用深さを調節するときは、前処理体上下調節装置２８により行う。また、整畦体７の多面体ドラム３０の作用深さを調節するときは、整畦体上下調節装置３３により行う。さらに、前処理体６及び整畦体７の作用深さを同時に調節するときは、トラクタのロアリンクにより畦塗り機１の支持高さを変えることによって行うことができるが、基本的には接地輪上下調節機構３７ａにより接地輪３７を上下移動調節することによって行われる。
【００２７】
前処理体６では耕耘爪２５により元畦の一部及び圃場を耕耘してサイドカバー２６により元畦側に案内して畦状に盛り上げ、その盛り上げた土壌を整畦体７の多面体ドラム３０の多角の整畦面が偏心回転して畦法面を叩いて目的とする畦に成形する。サイドカバー２６は、平行リンク４１により上下動するが、下げ位置がストッパ４２ａまたはストッパ部材４２ｄにより規制され、その下げ位置より上方には自由に移動できる。
水平円筒部３１は、多面体ドラム３０によって成形された畦の頂部を平らに成形する。この整畦作業時に、偏心回転する多面体ドラム３０は、この多面体ドラム３０及び水平円筒部３１の回転軸心と近い軸線上に設けられた接地輪３７により安定した状態に支持される。水平円筒部３１には、必要に応じて延長部が取付けられる。
【００２８】
畦塗り機１が作業を行わず、トラクタに連結されて３点リンクにより揚上した状態で路上走行するときは、まず固定装置３５のピングリップ３５ａによりバネ３５ｃの弾発力に抗してピン３５ｂを作業部固定シリンダ装置３４から抜き取り、作業部回動用握り４０を持って、チェンケース８を前処理体６及び整畦体７と共に傾斜軸９を中心に回動して前処理体６及び整畦体７を非作業位置（図５〜図７，図９）まで移動させる。このとき、入力部ケース１３はチェンケース８と共に回動して出力軸ケース１０から離間し、クラッチ１５の接続は解除される。
前処理体６及び整畦体７が非作業位置に達した時点で、固定装置３５のピン３５ｂにより作業部固定シリンダ装置３４を固定する。前処理体６及び整畦体７を作業位置から非作業位置に、あるいは非作業位置から作業位置に回動，移動させるとき、ガススプリング３６は補助的に作用してチェンケース８の回転動作が軽快に行われる。また、前処理体６及び整畦体７が自重により急速に降下するのが防止される。図８及び図９のように、作業部固定シリンダ装置３４及びガススプリング３６に代えて、モータシリンダ４１にした場合は、前処理体６及び整畦体７の回動を動力により軽快に行うことができる。
【符号の説明】
【００２９】
１ 畦塗り機
２ 連結フレーム
３ ロアリンク連結部
４ トップマスト
５ 入力軸 ５ａ 入力軸ケース
６ 前処理体
７ 整畦体
８ チェンケース
９ 傾斜軸
１０ 出力軸ケース
１１ 出力軸
１２ チェン伝動系
１３ 入力部ケース
１４ 入力軸
１５ クラッチ
１６ クラッチ押圧バネ
１７，１９ スプロケット
１８ 出力軸
２０ 回転軸
２１ 出力スプライン
２２ デフケース
２３ 入力スプライン
２４ ユニバーサルジョイント
２５ 耕耘爪
２６ 前処理体のサイドカバー
２７，３２ カバー
２８ 前処理体上下調節装置
２９ 伝動ケース
３０ 多面体ドラム
３１ 水平円筒部
３３ 整畦体上下調節装置
３４ 作業部固定シリンダ装置 ３４ａ ピストン部
３５ 固定装置 ３５ａ ピングリップ ３５ｂ ピン ３５ｃ バネ
３６ ガススプリング
３７ 接地輪（コールタ） ３７ａ 接地輪上下調節機構
３８ スタンドホルダ
３９ 車輪付きスタンド
４０ 作業部回動用握り
４１ 平行リンク
４２ ストッパ支持杆 ４２ａ ストッパ（クッション材） ４２ｂ 蝶ねじ
４２ｃ 一軸 ４２ｄ ストッパ部材 ４２ｅ 固定孔 ４２ｆ バネ
４３ ストッパ支持部材
【図１】
0004732531.tif 000002
【図２】
0004732531.tif 000003
【図３】
0004732531.tif 000004
【図４】
0004732531.tif 000005
【図５】
0004732531.tif 000006
【図６】
0004732531.tif 000007
【図７】
0004732531.tif 000008
【図８】
0004732531.tif 000009
【図９】
0004732531.tif 000010
【図１０】
0004732531.tif 000011
【図１１】
0004732531.tif 000012